(57)【特許請求の範囲】
【請求項１】
音声情報通信端末に１対１に対応し、前記音声情報通信端末から所定の符号化方式で伝送された符号化データを入力するデ―タ入力部と、該デ―タ入力部に対応し、各符号化データを格納するための第１のデ―タ記憶部と、該第１のデ―タ記憶部に格納された各符号化データを復号する音声復号化器と、前記音声復号化器からの各出力音声データを合成加算する演算処理部と、該演算処理部の出力を符号化する音声符号化器と、該音声符号化器からの出力符号化データを格納する第２の記憶部と、該第２の記憶部からの各データを出力するデータ出力部とから構成された音声情報通信システムにおいて、
前記デ―タ入力部に入力された符号化デ―タに挿入された符号化方式情報にもとづいて復号化方式を決定するための音声符号化方式判定回路と、前記第１のデータ記憶部より予め記憶されたデータを基準サンプリング周期毎に読み出し、前記音声符号化方式判定回路で選択された復号化方式で復号化された音声信号の振幅を前記符号化方式情報にもとづく振幅に調整する第１の振幅調整回路と、前記演算処理部からの出力を前記符号化方式情報にもとづく振幅に調整する第２の振幅調整回路と、から構成されていることを特徴とする音声情報通信システム。
【請求項２】
前記音声復号化器により復号化された各地点の音声信号のサンプリング周波数を同一の周波数に変換し、その同一のサンプリング周波数で合成加算された音声信号を前記符号化方式情報にもとづくサンプリング周波数に変換することを特徴とする請求項１記載の音声情報通信システム。
【請求項３】
音声情報通信端末から所定の符号化方式で伝送された符号化データを記憶するデ―タ記憶部と、該デ―タ記憶部に格納された各符号化データを復号する音声復号化器と、該音声復号化器からの各出力音声データを合成加算する演算処理部と、該演算処理部の出力を符号化する音声符号化器と、該音声符号化器からの出力符号化データを前記音声情報通信端末に出力するデータ出力部とから構成された多地点制御装置において、
前記デ―タ記憶部に記憶した各符号化デ―タに挿入された符号化方式情報にもとづいて復号化方式を決定するための音声符号化方式判定回路と、該音声符号化方式判定回路で選択した復号化方式で復号した前記音声復号化器からの音声信号の振幅を前記符号化方式情報にもとづく振幅に調整する第１の振幅調整回路とから構成され、前記演算処理部は前記所定の振幅に調整された各音声信号を合成加算することを特徴とする多地点制御装置。
【請求項４】
前記演算処理部からの出力を前記符号化方式情報にもとづく振幅に調整する第２の振幅調整回路を備えたことを特徴とする請求項３記載の多地点制御装置。
【発明の詳細な説明】
【０００１】
【発明の属する技術分野】
本発明は、複数の音声情報通信端末とそれらを制御する制御装置とから構成される多機能且つ小型化された音声情報通信システムに関する。
【０００２】
【従来技術】
図４は従来の音声情報通信システムの一例を示す基本的な構成図である。一般に複数の音声情報通信端末４１Ａ〜４１Ｎが接続された多地点制御装置４２から構成される音声情報通信システム４０は、該多地点制御装置４２内に各音声情報通信端末４１Ａ〜４１Ｎそれぞれに対応する共通の該音声復号器４３を具備している。各該音声情報通信端末４１Ａ〜４１Ｎに接続されたマイクロホン４４から集音された音声信号は各端末でディジタル信号に変換され、符号化されて該多地点制御装置４２に伝送される。各該音声情報通信端末４１Ａ〜４１Ｎから該多地点制御装置４２に伝送されてきた符号化音声は、該多地点制御装置４２内の該復号化器４３によってディジタル音声信号に再構築された後、音声合成回路４５によって加算される。この合成音声は符号化器４６で符号化された後、各該音声情報通信端末４１Ａ〜４１Ｎへ送出される。
【０００３】
【発明が解決しようとする課題】
しかしながら上述した従来の音声情報通信システムでは、異なる複数の音声符号化方式に対応する適切なレベル調整が行われず、合成された音声信号に内在する背景雑音が上昇し、音声品質が劣化してしまい円滑な音声情報通信が行えないという課題がある。本発明は上述の点に鑑みてなされたもので、上記問題点を除去し、通話音声の品質を改善し、明瞭度を向上させた高品質な音声情報通信システムを提供する。
【０００４】
【課題を解決するための手段】
本発明はこれらの課題を解決するためのものであり、テレビ会議端末装置に１対１に対応し、各テレビ会議端末装置から所定の符号化方式で送られてくる符号化データを入力するためのデ―タ入力部と、前記各デ―タ入力部に対応し、各符号化データを格納するための第１のデ―タ記憶部と、前記第１のデ―タ記憶部に格納されている各符号化データを加算するための演算処理部と、前記演算処理部で加算された符号化データを復号化するための復号手段とから構成された多地点高品質音声情報通信システムにおいて、前記デ―タ入力部に入力された符号デ―タに挿入された符号化方式情報にもとづいて復号化方式を決定するための音声符号化方式判定回路とから構成され、前記第１のデ―タ記憶部に格納されている符号化データを読み出し、その読み出された符号化データは前記音声符号化方式判定回路にもとづいて各符号方式に適した振幅に調整され復号化される音声情報通信システムを提供する。
【０００５】
さらに、前記復号化された各地点の音声信号のサンプリング周波数をほぼ一定の周波数に変換し、その一定の周波数の音声信号を前記符号化方式情報にもとづいて各地点のサンプリング周波数に変換する請求項１記載の音声情報通信システムを提供する。
【０００６】
本発明はこのように符号化方式の違いによる音声レベルの相違を取り除き、背景雑音の影響を最小限に抑えることが出来る。また、サンプリング周波数が異なる符号化方式が使用されている場合にもその不整合を取り除き、明瞭な音声情報通信が可能となる。
【０００７】
【発明の実施の形態】
以下、本発明の実施例について図面を用いて説明する。
図１は本発明の音声情報通信システムの第１の実施例を示すブロック図である。ここでは、同一の符号化方式を用いた場合を示している。本発明は従来のデ―タ入力部１１Ａ〜１１Ｎ、第１のデ―タ記憶部１２Ａ〜１２Ｎ、音声符号化器１３、音声復号化器１４、音声を合成する演算処理部１５、第２のデ―タ記憶部１６Ａ〜１６Ｎ、そして、デ―タ出力部１７Ａ〜１７Ｎから構成された多地点音声情報通信システムに、音声符号化方式判定回路１８と振幅調整回路１９を追加した構成となっている。
【０００８】
デ―タ入力部１１Ａ〜１１Ｎと、第１のデ―タ記憶部１２Ａ〜１２Ｎと、音声符号化器１３と、音声復号化器１４と、音声を合成する演算処理部１５と、第２のデ―タ記憶部１６Ａ〜１６Ｎと、デ―タ出力部１７Ａ〜１７Ｎとを具備した多地点音声情報通信システムにおいて、該デ―タ入力部１１Ａ〜１１Ｎに入力する符号デ―タに内挿された符号化方式情報により該音声復号化器１４の復号化方式を決定する音声符号化方式判定回路１８と、該第１のデ―タ記憶部１２Ａ〜１２Ｎより予め記憶したデ―タを毎回読み出し、該音声符号化方式判定回路１８で選択された音声符号化方式で復号化された音声信号の振幅を調整する振幅調整回路１９と、上記音声を合成する演算処理部１５の出力に各符号化方式に適合した振幅に調整する振幅調整回路１９とを備えている。
【０００９】
図２は本発明の音声情報通信システムの第２の実施例を示すブロック図である。ここでは、異なる符号化方式を採用した場合を示している。本発明は従来のデ―タ入力部２１Ａ〜２１Ｎ、第１のデ―タ記憶部２２Ａ〜２２Ｎ、音声符号化器２３Ａ〜２３Ｎ、音声復号化器２４Ａ〜２４Ｎ、音声を合成する演算処理部２５、第２のデ―タデ―タ記憶部２６Ａ〜２６Ｎ、そして、デ―タ出力部２７Ａ〜２７Ｎから構成された多地点音声情報通信システムに、音声符号化方式判定回路２８Ａ〜２８Ｎ、振幅調整回路２９Ａ〜２９Ｎ、を追加した構成となっている。
【００１０】
該デ―タ入力部２１Ａ〜２１Ｎと、該第１のデ―タ記憶部２２Ａ〜２２Ｎと、該音声符号化器２３Ａ〜２３Ｎと、音声復号化器２４Ａ〜２４Ｎと、該音声を合成する演算処理部２５と、該第２のデ―タデ―タ記憶部２６Ａ〜２６Ｎと、該デ―タ出力部２７Ａ〜２７Ｎとを具備した音声情報通信システムにおいて、該デ―タ入力部２１Ａ〜２１Ｎに入力する符号デ―タに挿入された符号化方式情報により該音声復号化器２４Ａ〜２４Ｎの復号化方式を決定する該音声符号化方式判定回路２８Ａ〜２８Ｎと、該第１のデ―タ記憶部２２Ａ〜２２Ｎより予め記憶したデ―タを毎回読み出し、該音声符号化方式判定回路２８Ａ〜２８Ｎで選択された音声符号化方式で復号化された音声信号の振幅を調整する該振幅調整回路２９Ａ〜２９Ｎと、上記復号された各地点の音声信号のサンプリング周波数を該音声符号化方式判定回路２８Ａ〜２８Ｎの指示に従い、必要が有れば変換する第１の周波数変換回路２１０Ａ〜２１０Ｎと、上記該音声を合成する演算処理部の出力音声を該音声符号化方式判定回路２８Ａ〜２８Ｎの指示に従い、必要が有れば該音声符号化器２３Ａ〜２３Ｎに合わせたサンプリング周波数に変換する第２の周波数変換回路２１１Ａ〜２１１Ｎとを備えている。
【００１１】
ここで指す異なる符号方式は、例えば、ＩＴＵ−Ｔ  勧告に有る  Ｇ．７１１、Ｇ．７２１  、Ｇ．７２２  、Ｇ．７２３．１  、Ｇ．７２６  、Ｇ．７２８  、そして  Ｇ．７２９などである。又、この他の国際規格で定められる高能率音声符号化方式であっても構わない。図３は４地点の音声情報通信の場合の音声処理に関わる構成一例を示したもので、４入力４出力で同一符号化方式の形態を採っている。該デ―タ入力部３１ａ、３１ｂ、３１ｃ、３１ｄと、該第１のデ―タ記憶部３２ａ、３２ｂ、３２ｃ、３２ｄ、該音声符号化器３３、該音声復号化器３４、音声を合成する演算処理部３５、第２のデ―タデ―タ記憶部３６ａ、３６ｂ、３６ｃ、３６ｄ、そして、デ―タ出力部３７ａ、３７ｂ、３７ｃ、３７ｄから構成されている。
【００１２】
一回の復号化と音声合成を一つのステップとして、この工程を四度繰り返すと各地点への構成音声が構築されている。その合成音声を該音声符号化器３３で符号化し、伝送するものである。この音声処理部分はディジタル・シグナル・プロセッサ等で構成する事を前提として中間バッファの利用を出来るだけ抑えた構成としている。より少ないメモリで構成する為に該第１のデ―タ記憶部３２ａ、３２ｂ、３２ｃ、３２ｄと第２のデ―タデ―タ記憶部３６ａ、３６ｂ、３６ｃ、３６ｄを共有する構成を採用する事も可能である。
【００１３】
【発明の効果】
以上、説明したように本発明によれば、下記のような効果を奏する。
【００１４】
（１）例え異なる数種の音声符号方式で符号化された音声信号であっても復号化された後、同一ダイナミックレンジにおいて、合成される為に背景雑音等の外乱の影響を低く抑圧する事が出来、円滑な音声情報通信が実現出来る。
【００１５】
（２）合成された後の音声信号も各符号化方式に合致した音声レベルを供給出来るので、クリッピング等による雑音が低減させられる為に高品質な音声通信が実現できる。
【００１６】
（３）  使用するメモリ容量を少なく構成する事が可能なので、ハ―ドウェアを小さく出来、コストを削減出来る。
【図面の簡単な説明】
【図１】本発明による第１の音声情報通信システムの構成例を示すブロック図である。
【図２】本発明による第２の音声情報通信システムの構成例を示すブロック図である。
【図３】本発明による音声情報通信システムの音声処理部の構成例を示すブロック図である。
【図４】従来技術による音声情報通信システムの基本構成例を示すブロック図である。
【符号の説明】
１０                                                    音声情報通信システム
１１Ａ〜１１Ｎ                                デ―タ入力部
１２Ａ〜１２Ｎ                                第１のデ―タ記憶部
１３                                                    音声符号化器
１４                                                    音声復号化器
１５                                                    音声を合成する演算処理部
１６Ａ〜１６Ｎ                                デ―タデ―タ記憶部
１７Ａ〜１７Ｎ                                デ―タ出力部
１８                                                    音声符号化方式判定回路
１９                                                    振幅調整回路
２０                                                    音声情報通信システム
２１Ａ〜２１Ｎ                                デ―タ入力部
２２Ａ〜２２Ｎ                                第１のデ―タ記憶部
２３Ａ〜２３Ｎ                                音声符号化器
２４Ａ〜２４Ｎ                                音声復号化器
２５                                                    音声を合成する演算処理部
２６Ａ〜２６Ｎ                                第２のデ―タ記憶部
２７Ａ〜２７Ｎ                                デ―タ出力部
２８Ａ〜２８Ｎ                                音声符号化方式判定回路
２９Ａ〜２９Ｎ                                振幅調整回路
２１０Ａ〜２１０Ｎ                        第１の周波数変換回路
２１１Ａ〜２１１Ｎ                        第２の周波数変換回路
３１ａ、３１ｂ                データ入力部
３１ｃ、３１ｄ                                デ―タ入力部
３２ａ、３２ｂ                第１のデ―タ記憶部
３２ｃ、３２ｄ                                第１のデ―タ記憶部
３３                                                    音声符号化器
３４                                                    音声復号化器
３５                                                    音声を合成する演算処理部
３６ａ、３６ｂ                第２のデ―タ記憶部
３６ｃ、３６ｄ                                第２のデ―タ記憶部
３７ａ、３７ｂ                デ―タ出力部
３７ｃ、３７ｄ                                デ―タ出力部
４０                                                    音声情報通信システム
４１Ａ〜４１Ｎ                                音声情報通信端末
４２                                                    多地点制御装置
４３                                                    音声復号化器
４４                                                    マイクロホン
４５                                                    音声合成回路
４６                                                    符号化器
【図１】
0003592879.tif 000002
【図２】
0003592879.tif 000003
【図３】
0003592879.tif 000004
【図４】
0003592879.tif 000005